【手続補正書】
【提出日】平成15年12月15日(2003.12.15)
【手続補正１】
【補正対象書類名】明細書
【補正対象項目名】発明の名称
【補正方法】変更
【補正の内容】
【発明の名称】円盤状記録媒体再生及び／又は記録装置、及び円盤状記録媒体のセンタリング機構
【手続補正２】
【補正対象書類名】明細書
【補正対象項目名】特許請求の範囲
【補正方法】変更
【補正の内容】
【特許請求の範囲】
【請求項１】
円盤状記録媒体の引込み方向に直交し且つ円盤状記録媒体の記録面に沿う方向において互いに同期して反対方向に移動する２対４本のセンタリング軸を備え、
該センタリング軸が円盤状記録媒体の外周縁に当接して該円盤状記録媒体のセンタリングを行うようにした
ことを特徴とする円盤状記録媒体のセンタリング機構。
【請求項２】
それぞれ２本のセンタリング軸を支持すると共に円盤状記録媒体の引込み方向に直交し且つ円盤状記録媒体の記録面に沿う方向に移動自在な２つのセンタリング部材と、
これらセンタリング部材を互いに引き寄せるように移動力を付勢する弾発手段と、
上記センタリング部材を互いに同期して反対方向に移動するように規制する同期手段とを備えた
ことを特徴とする請求項１に記載の円盤状記録媒体のセンタリング機構。
【請求項３】
上記同期手段が、上記各センタリング部材にその移動方向に延びるように設けられたラックとこれら２つのラックに同時に噛合したピニオンギヤとから成る
ことを特徴とする請求項２に記載の円盤状記録媒体のセンタリング機構。
【請求項４】
円盤状記録媒体の引込み方向に直交し且つ円盤状記録媒体の記録面に沿う方向において互いに同期して反対方向に移動する２対４本のセンタリング軸を備え、
該センタリング軸が円盤状記録媒体の外周縁に当接して該円盤状記録媒体のセンタリングを行う円盤状記録媒体のセンタリング機構を備えた
ことを特徴とする円盤状記録媒体再生及び／又は記録装置。
【請求項５】
上記円盤状記録媒体のセンタリング機構は、それぞれ２本のセンタリング軸を支持すると共に円盤状記録媒体の引込み方向に直交し且つ円盤状記録媒体の記録面に沿う方向に移動自在な２つのセンタリング部材と、
これらセンタリング部材を互いに引き寄せるように移動力を付勢する弾発手段と、
上記センタリング部材を互いに同期して反対方向に移動するように規制する同期手段とを備えた
ことを特徴とする請求項４に記載の円盤状記録媒体再生及び／又は記録装置。
【請求項６】
上記同期手段が、上記各センタリング部材にその移動方向に延びるように設けられたラックとこれら２つのラックに同時に噛合したピニオンギヤとから成る
ことを特徴とする請求項５に記載の円盤状記録媒体再生及び／又は記録装置。
【手続補正３】
【補正対象書類名】明細書
【補正対象項目名】０００１
【補正方法】変更
【補正の内容】
【０００１】
【発明の属する技術分野】
本発明は新規な円盤状記録媒体再生及び／又は記録装置、及び円盤状記録媒体のセンタリング機構に関する。詳しくは、円盤状記録媒体のセンタリングの位置精度を向上させると共に、所謂縦置きでの使用も可能とする技術に関する。


【手続補正４】
【補正対象書類名】明細書
【補正対象項目名】０００７
【補正方法】変更
【補正の内容】
【０００７】
【発明が解決しようとする課題】
上記した従来の円盤状記録媒体再生及び／又は記録装置、及び円盤状記録媒体のセンタリング機構にあっては、円盤状記録媒体１００の外周縁を２本のセンタリング軸３、４に押し付けてそのセンタリングを行うものであるため、そのセンタリングの位置精度にやや不安があり、特に縦置きにして使用する際、即ち、円盤状記録媒体１００の記録面が鉛直方向に沿う向きで使用する際には特にセンタリングの位置精度が出し難く、場合によってはチャッキングミスを惹き起こすこともある。


【手続補正５】
【補正対象書類名】明細書
【補正対象項目名】０００９
【補正方法】変更
【補正の内容】
【０００９】
【課題を解決するための手段】
本発明円盤状記録媒体再生及び／又は記録装置、及び円盤状記録媒体のセンタリング機構は、上記した課題を解決するために、円盤状記録媒体の引込み方向に直交し且つ円盤状記録媒体の記録面に沿う方向において互いに同期して反対方向に移動する２対４本のセンタリング軸を備え、該センタリング軸が円盤状記録媒体の外周縁に当接して該円盤状記録媒体のセンタリングを行うようにしたものである。


【手続補正６】
【補正対象書類名】明細書
【補正対象項目名】００１０
【補正方法】変更
【補正の内容】
【００１０】
従って、本発明円盤状記録媒体再生及び／又は記録装置、及び円盤状記録媒体のセンタリング機構にあっては、２対４本のセンタリング軸を円盤状記録媒体の外周縁に当接させてそのセンタリングを行うので、精度の良いセンタリングを行うことができると共に、縦置きにして使用する場合でも、円盤状記録媒体の確実なセンタリングを行うことができる。


【手続補正７】
【補正対象書類名】明細書
【補正対象項目名】００１１
【補正方法】変更
【補正の内容】
【００１１】
【発明の実施の形態】
以下に、本発明円盤状記録媒体再生及び／又は記録装置、及び円盤状記録媒体のセンタリング機構の実施の形態を説明する。


【手続補正８】
【補正対象書類名】明細書
【補正対象項目名】００１２
【補正方法】変更
【補正の内容】
【００１２】
図１乃至図５は本発明円盤状記録媒体再生及び／又は記録装置、及び円盤状記録媒体のセンタリング機構の実施の形態を示すものである。


【手続補正９】
【補正対象書類名】明細書
【補正対象項目名】００３０
【補正方法】変更
【補正の内容】
【００３０】
以上に記載したように、本発明円盤状記録媒体再生及び／又は記録装置、及び円盤状記録媒体のセンタリング機構にあっては２対４本のセンタリング軸２１、２２、３１、３２を円盤状記録媒体１００の外周縁に当接させてそのセンタリングを行うので、精度の良いセンタリングを行うことができる。また、いわゆる縦置きにして使用する場合でも、円盤状記録媒体１００の確実なセンタリングを行うことができる。


【手続補正１０】
【補正対象書類名】明細書
【補正対象項目名】００３１
【補正方法】変更
【補正の内容】
【００３１】
【実施例】
以下に、本発明円盤状記録媒体再生及び／又は記録装置、及び円盤状記録媒体のセンタリング機構について具体的な実施例に基づいて更に詳細に説明をする。


【手続補正１１】
【補正対象書類名】明細書
【補正対象項目名】００３２
【補正方法】変更
【補正の内容】
【００３２】
図６乃至図３５は本発明円盤状記録媒体再生及び／又は記録装置、及び円盤状記録媒体のセンタリング機構の実施の一例を示すものであり、本発明を所謂コンパチブルタイプのＣＤプレーヤー、即ち、大きさの異なる２種類のＣＤ（コンパクトディスク）、例えば、１２ｃｍＣＤ１０１と８ｃｍＣＤ１０２の選択的な再生を行うことができるＣＤ再生装置におけるＣＤのセンタリング機構として適用したものである。尚、このことは、本発明円盤状記録媒体再生及び／又は記録装置、及び円盤状記録媒体のセンタリング機構がＣＤプレーヤーにおけるＣＤのセンタリング機構に限られることを意味するものではなく、その他の円盤状記録媒体、例えば、ＤＶＤ（デジタルビデオディスク）、ＣＤ−Ｒ等の再生装置における、或は記録装置における又は再生記録装置における円盤状記録媒体のセンタリング機構として適用が可能であることは勿論である。


【手続補正１２】
【補正対象書類名】明細書
【補正対象項目名】０１２４
【補正方法】変更
【補正の内容】
【０１２４】
【発明の効果】
以上に記載したところから明らかなように、本発明円盤状記録媒体再生及び／又は記録装置、及び円盤状記録媒体のセンタリング機構は、円盤状記録媒体の引込み方向に直交し且つ円盤状記録媒体の記録面に沿う方向において互いに同期して反対方向に移動する２対４本のセンタリング軸を備え、該センタリング軸が円盤状記録媒体の外周縁に当接して該円盤状記録媒体のセンタリングを行うようにしたことを特徴とする。


【手続補正１３】
【補正対象書類名】明細書
【補正対象項目名】０１２５
【補正方法】変更
【補正の内容】
【０１２５】
従って、本発明円盤状記録媒体再生及び／又は記録装置、及び円盤状記録媒体のセンタリング機構にあっては、２対４本のセンタリング軸を円盤状記録媒体の外周縁に当接させてそのセンタリングを行うので、精度の良いセンタリングを行うことができると共に、縦置きにして使用する場合でも、円盤状記録媒体の確実なセンタリングを行うことができる。


【手続補正１４】
【補正対象書類名】明細書
【補正対象項目名】０１２６
【補正方法】変更
【補正の内容】
【０１２６】
また、請求項２と請求項５に記載した発明にあっては、それぞれ２本のセンタリング軸を支持すると共に円盤状記録媒体の引込み方向に直交し且つ円盤状記録媒体の記録面に沿う方向に移動自在な２つのセンタリング部材と、これらセンタリング部材を互いに引き寄せるように移動力を付勢する弾発手段と、上記センタリング部材を互いに同期して反対方向に移動するように規制する同期手段とを備えたので、２対４本のセンタリング軸は円盤状記録媒体の引込み方向に直交する方向における中心線に対して同期して反対方向に移動するので、円盤状記録媒体のより精確なセンタリングを行うことができる。


【手続補正１５】
【補正対象書類名】明細書
【補正対象項目名】０１２７
【補正方法】変更
【補正の内容】
【０１２７】
更に、請求項３と請求項６に記載した発明にあっては、同期手段が、上記各センタリング部材にその移動方向に延びるように設けられたラックとこれら２つのラックに同時に噛合したピニオンギヤとから成るので、２つのセンタリング部材を同期して反対方向に移動させる手段を容易に構成することができると共に、上記同期移動をより精確なものとすることができる。


【手続補正１６】
【補正対象書類名】明細書
【補正対象項目名】図１
【補正方法】変更
【補正の内容】
【図１】図２乃至図５と共に本発明円盤状記録媒体再生及び／又は記録装置、及び円盤状記録媒体のセンタリング機構の実施の形態を示すものであり、本図は概要を平面的に示す図である。


【手続補正１７】
【補正対象書類名】明細書
【補正対象項目名】図３６
【補正方法】変更
【補正の内容】
【図３６】図３７乃至図３９と共に従来の円盤状記録媒体再生及び／又は記録装置、及び円盤状記録媒体のセンタリング機構の一例を示すものであり、本図は概要を平面的に示す図である。